(57)【要約】【課題】サラウンド音声を伝達することができる骨伝導スピーカ装置を提供する。【解決手段】振動子２Ｌ、２Ｒは、眼鏡のパッド機能を兼ねており、人体の鼻骨に当接される。弦１３Ｌ、１３Ｒは、人体頭部のこめかみ部分（テンプル）、および外耳上部に当接し、鉤部１４Ｌ、１４Ｒが両耳裏側に当接する。鉤部１４Ｌ、１４Ｒにそれぞれ振動子２ＬＳ、２ＲＳが設置されており、これら振動子２ＬＳ、２ＲＳは、両耳裏側に当接する。ＤＳＰユニット３は、各振動子の駆動信号を供給する。振動子２Ｌ，２Ｒの駆動信号は、フロントＬ、フロントＲのチャンネルに相当し、振動子２ＬＳ、２ＲＳの駆動信号は、リアＬ、リアＲのチャネルに相当する。振動子２Ｌ、振動子２Ｒの駆動信号にはセンタチャンネルの成分が含まれる。【選択図】図１
2008227806.tif 000002
【特許請求の範囲】
【請求項１】
人体頭部に装着される眼鏡フレームと、
前記眼鏡フレームのうち、両耳の裏側の頭部に当接される位置に設置された複数のリアチャンネル用振動子と、
前記眼鏡フレームのうち、鼻骨に当接される位置に設置された１または複数のフロントチャンネル用振動子と、
前記リアチャンネル用振動子にマルチチャンネルサラウンドのリアチャンネル音声に対応する駆動信号を供給し、前記フロントチャンネル用振動子にフロントチャンネル音声に対応する駆動信号を供給する信号供給部と、
を備えた骨伝導スピーカ装置。
【請求項２】
前記眼鏡フレームは、映像信号を入力して映像を表示するヘッドマウントモニタを備え、
前記信号供給部は、前記映像信号を前記ヘッドマウントモニタに供給する請求項１に記載の骨伝導スピーカ装置。
【請求項３】
頭部以外の人体に当接する位置に設置される低音用振動子を備え、前記信号供給部は、前記低音用振動子にサブウーファ音声に対応する駆動信号を供給する請求項１、または請求項２に記載の骨伝導スピーカ装置。
【発明の詳細な説明】
【技術分野】
【０００１】
この発明は、サラウンド音声を伝達することができる骨伝導スピーカ装置に関する。
【背景技術】
【０００２】
従来、頭蓋骨を経由して音響振動を人体に伝える骨伝導スピーカ装置が普及している。骨伝導スピーカ装置の頭部への装着方法としては、例えば眼鏡の弦に振動子を取り付けたものが提案されている（例えば特許文献１参照）。
【０００３】
また、外耳の裏側に接するように眼鏡の弦の遠端部分（両耳裏側当接部分）に振動子を取り付けたものが提案されている（例えば特許文献２参照）。
【特許文献１】特開２００４−３２０６０５号公報
【特許文献２】特開２００６−１５７３１８号公報
【発明の開示】
【発明が解決しようとする課題】
【０００４】
しかし、特許文献１の骨伝導スピーカは、振動子が片側にしか装着されておらず、モノラル音声を伝達することしかできなかった。
【０００５】
特許文献２の骨伝導スピーカは、両耳の裏側に振動子が装着されるが、この場合もステレオ音声を伝達することしかできなかった。
【０００６】
そこで、この発明は、サラウンド音声を伝達することができる骨伝導スピーカ装置を提供することを目的とする。
【課題を解決するための手段】
【０００７】
この発明の骨伝導スピーカ装置は、人体頭部に装着される眼鏡フレームと、前記眼鏡フレームのうち、両耳の裏側の頭部に当接される位置に設置された複数のリアチャンネル用振動子と、前記眼鏡フレームのうち、鼻骨に当接される位置に設置された１または複数のフロントチャンネル用振動子と、前記リアチャンネル用振動子にマルチチャンネルサラウンドのリアチャンネル音声に対応する駆動信号を供給し、前記フロントチャンネル用振動子にフロントチャンネル音声に対応する駆動信号を供給する信号供給部と、を備えたことを特徴とする。
【０００８】
この構成では、両耳裏側に相当する位置の頭部当接部分、および鼻骨当接部分に振動子を取り付ける。両耳裏側の振動子にはリアチャンネル音声に対応する駆動信号が供給され、鼻骨当接部分の振動子にはフロントチャンネル音声に対応する駆動信号が供給される。これにより、骨伝導でありながらサラウンド音声を伝達することができる。なお、眼鏡フレームには、いわゆる眼鏡の形状のほか、ゴーグル形状等も含まれる。眼鏡形状の場合、弦の端部（いわゆるモダン）にリアチャンネル用振動子を取り付け、眼鏡の鼻骨当接部分（いわゆるパッド）にフロントチャンネル用振動子を取り付ける。
【０００９】
また、この発明は、さらに、映像信号を入力し、映像を表示するヘッドマウントモニタを備え、前記信号供給部は、前記映像信号を前記ヘッドマウントモニタに供給することを特徴とする。
【００１０】
この構成では、映像信号を入力し、映像を表示するヘッドマウントモニタ（ヘッドマウントディスプレイ）を備えている。ユーザは、音声と同じ再生ソースの映像を認識することができ、このヘッドマウントディスプレイを装着するだけで映像とサラウンド音声を体感することができる。
【００１１】
また、この発明は、さらに、頭部以外の人体に当接する位置に設置される低音用振動子を備え、前記信号供給部は、前記低音用振動子にサブウーファ音声に対応する駆動信号を供給することを特徴とする。
【００１２】
この構成では、例えば手首や足首の位置に低音用振動子を設置する。具体的には、低音振動子を備えたバンドを手首、足首に巻けばよい。低音用振動子に、サブウーファチャンネルの音声に対応する駆動信号を供給することで、ユーザは、振動そのものを低音として感じとることができ、さらに臨場感を得ることができる。
【発明の効果】
【００１３】
この発明によれば、両耳の裏側の頭部に当接される複数の振動子、および鼻骨に当接される振動子で各チャンネルの音声が伝達されるため、骨伝導でありながらサラウンド音声を伝達することができる。
【発明を実施するための最良の形態】
【００１４】
図面を参照してこの発明の実施形態である骨伝導スピーカ装置について説明する。図１は、骨伝導スピーカ装置１０の外観を示す図である。図２は骨伝導スピーカ装置１０の主要構成（ＤＳＰユニット、振動子）を示すブロック図である。なお、図２において、信号増幅回路（アンプ）やＡ／Ｄコンバータ、Ｄ／Ａコンバータは省略している。
【００１５】
骨伝導スピーカ装置１０は、フレーム１、振動子２Ｌ、振動子２Ｒ、振動子２ＬＳ、振動子２ＲＳ、およびＤＳＰユニット３を備えている。
【００１６】
フレーム１は、いわゆる眼鏡形状であり、２つのリム１１Ｌ，１１Ｒと、リム１１Ｌ，１１Ｒを接続するブリッジ１２と、２つのリム１１Ｌ，１１Ｒにそれぞれ接続される弦１３Ｌ，１３Ｒと、弦１３Ｌ，１３Ｒのそれぞれリム接続箇所の反対側の端部に接続される鉤部１４Ｌ，１４Ｒと、からなる。リム１１Ｌおよびリム１１Ｒにはそれぞれレンズが装着される。
【００１７】
振動子２Ｌおよび振動子２Ｒは、眼鏡のパッド（鼻あて）の機能を兼ねており、またはパッドに取り付けられており、人体の鼻骨に当接される。弦１３Ｌおよび弦１３Ｒは、いわゆるテンプルであり、人体頭部のこめかみ部分、および外耳上部に当接する。鉤部１４Ｌおよび鉤部１４Ｒは、いわゆるモダン（耳に掛ける部分）であり、人体の両耳裏側に当接する。鉤部１４Ｌ、鉤部１４Ｒにそれぞれ振動子２ＬＳ、振動子２ＲＳが設置されており、これら振動子２ＬＳ、振動子２ＲＳは、両耳裏側に当接する。
【００１８】
振動子２Ｌ、振動子２Ｒ、振動子２ＬＳ、および振動子２ＲＳは、ＤＳＰユニット３と接続される。なお、図１においては、振動子２ＬＳにＤＳＰユニット３が接続されている態様を示しているが、実際には、弦やリムに埋設された配線により各振動子とＤＳＰユニット３が接続されている。また、図１においては有線接続の態様を示しているが、赤外線等による無線接続であってもよい。
【００１９】
振動子２Ｌ、振動子２Ｒ、振動子２ＬＳ、および振動子２ＲＳは、超磁歪素子や圧電素子等からなり、ＤＳＰユニット３から入力される駆動信号に基づいて振動を発生し、骨伝導により音響伝達を行う。
【００２０】
図２において、ＤＳＰユニット３は、制御部３１、インタフェース３２、およびインタフェース３３を備えており、インタフェース３２を介して他の装置（ＣＤプレーヤ等の再生装置）から音声信号を入力する。入力される音声信号はアナログ音声信号であってもデジタル音声信号であってもよい。アナログ音声信号を入力する場合には、図示しないＡ／Ｄコンバータによりデジタル音声信号に変換する。なお、再生装置（ＣＤ等の再生機能）は、ＤＳＰユニット３に内蔵しておいてもよい。
【００２１】
制御部３１は、ＤＳＰチップを内蔵しており、インタフェース３２から入力された音声信号に基づいて、振動子２Ｌ、振動子２Ｒ、振動子２ＬＳ、および振動子２ＲＳの駆動信号をそれぞれ生成する。駆動信号は、各振動子を駆動するアナログ信号（電圧制御信号）である。これらの駆動信号は、マルチチャンネルサラウンドの各チャンネルの音声信号に対応する。すなわち、振動子２Ｌの駆動信号は、フロントＬチャンネルに対応し、振動子２Ｒの駆動信号は、フロントＲチャンネルに対応し、振動子２ＬＳの駆動信号は、リアＬチャンネルに対応し、振動子２ＲＳの駆動信号は、リアＲチャンネルに対応する。ただし、振動子２Ｌおよび振動子２Ｒの駆動信号にはセンタチャンネルの成分が含まれる。センタチャンネルの成分は、振動子２Ｌ、振動子２Ｒに供給される駆動信号に、それぞれ１：１の割合で含まれる。
【００２２】
制御部３１は、生成した駆動信号を、インタフェース３３を介して振動子２Ｌ、振動子２Ｒ、振動子２ＬＳ、および振動子２ＲＳにそれぞれ供給する。
【００２３】
振動子２Ｌ、振動子２Ｒ、振動子２ＬＳ、および振動子２ＲＳは、それぞれ入力された駆動信号に基づいて振動（音響振動）を発生する。この音響振動が人体頭部を骨伝導することにより、音声を伝達することができる。ここで、振動子２Ｌおよび振動子２Ｒは、鼻骨に当接される位置（眼鏡のパッド）に設置されており、振動子２ＬＳおよび振動子２ＲＳは、両耳の裏側の頭部に当接される位置（眼鏡のモダン）に設置されている。したがって、骨伝導スピーカ装置１０を装着したユーザは、フロントＬチャンネルの音声を前方左側から感じ取ることができ、フロントＲチャンネルの音声を前方右側から感じ取ることができ、センタチャンネルの音声を前方中央から感じ取ることができる。また、リアＬチャンネルの音声を後方左側から感じ取ることができ、リアＲチャンネルの音声を後方右側から感じ取ることができる。
【００２４】
なお、本願の発明者は、鼻骨に当接する振動子と両耳裏側に当接する振動子にそれぞれ別の駆動信号を供給し、骨伝導により音響伝達をすることで、音声が各方向から到来するように感じ取ることができる旨を実験により確認している。
【００２５】
なお、振動子２Ｌと振動子２Ｒを統合し、１つの振動子２Ｆとして構成してもよい。この場合、振動子２Ｆの駆動信号には、フロントＬチャンネル、フロントＲチャンネル、センタチャンネルの成分が全て含まれる。この場合、骨伝導スピーカ装置１０を装着したユーザは、フロントＬチャンネル、フロントＲチャンネル、およびセンタチャンネルの音声を前方から感じ取ることができる。この場合においても、後方と前方で別々の音声が到来していること（音像定位感）を感じ取ることができ、サラウンド音声を体感することができる。したがって、ユーザは、複数のスピーカ（空気伝達用スピーカ）を別途用意しなくとも、サラウンド音声を体感することができる。
【００２６】
また、図５に示すように、さらに複数の振動子を備えていてもよい。図５は、さらに複数の振動子を備えた骨伝導スピーカ装置５０の外観を示す図である。なお、図１と共通する構成部については同一の符号を付し、その説明を省略する。この骨伝導スピーカ装置５０は、フレーム１０１、振動子２ＦＬ、振動子２ＦＲ、振動子２Ｌ、振動子２Ｒ、振動子２ＬＳ、振動子２ＲＳ、およびＤＳＰユニット３００を備えている。振動子２ＦＬおよび振動子２ＦＲは、眼鏡のパッドの機能を兼ねており、またはパッドに取り付けられており、人体の鼻骨に当接される。振動子２Ｌおよび振動子２Ｒは、弦１３Ｌおよび弦１３Ｒに設置されており、人体頭部のこめかみ部分に当接する。この例においても振動子２ＦＬ、２ＦＲ、振動子２Ｌ、振動子２Ｒ、振動子２ＬＳ、および振動子２ＲＳは、ＤＳＰユニット３と接続される。ＤＳＰユニット３の構成は図２と同様であるが、この例においてはさらに振動子２ＦＬおよび振動子２ＦＲが接続される。
【００２７】
この骨伝導スピーカ装置５０の場合、振動子２ＦＬおよび振動子２ＦＲの駆動信号には、センタチャンネルの成分が含まれる。この場合、骨伝導スピーカ装置５０を装着したユーザは、フロントＬチャンネル、フロントＲチャンネル、センタチャンネルの音声を各方向から別々に感じ取ることができ、よりリアルなサラウンド音声を体感することができる。
【００２８】
また、制御部３１は、振動子２Ｌ、振動子２Ｒにそれぞれ供給する駆動信号と、振動子２ＬＳ、振動子２ＲＳにそれぞれ供給する駆動信号と、の位相をずらしてもよい。例えば、振動子２ＬＳおよび振動子２ＲＳは振動子２Ｌや振動子２Ｒに比較して内耳に近い位置に設置されているため、これらの振動子に供給する駆動信号に遅延を挿入し、より後方から音声が到来しているように構成することも可能である。
【００２９】
なお、図１においてはフレーム１として眼鏡形状を示しているが、他の形状として例えば、ゴーグル形状であってもよい。また、図３に示すようなヘッドマウントディスプレイであってもよい。
【００３０】
図３は、他の例に係る骨伝導スピーカ装置の外観を示す図である。図４は、図３に示す骨伝導スピーカ装置１００の主要構成（ＤＳＰユニット、振動子）を示すブロック図である。なお、図１および図２と共通する構成部については同一の符号を付し、その説明を省略する。また、図４において、信号増幅回路（アンプ）やＡ／Ｄコンバータ、Ｄ／Ａコンバータは省略している。
【００３１】
図３に示す骨伝導スピーカ装置１００は、フレーム１０１、振動子２Ｌ、振動子２Ｒ、振動子２ＬＳ、振動子２ＲＳ、およびＤＳＰユニット３００を備えている。
【００３２】
フレーム１０１は、いわゆるヘッドマウントディスプレイであり、キャビネット１０３、弦１０４Ｌ、弦１０４Ｒ、鉤部１０５Ｌ、および鉤部１０５Ｒからなる。キャビネット１０３は、図示しない２つのＬＣＤ等を内蔵している。キャビネット１０３内の２つのＬＣＤは、ＤＳＰユニット３００に接続されている。ユーザは、フレーム１０１を頭部に装着し、キャビネット１０３内の２つのＬＣＤを視認することにより、視野内に映像を認識することができる。
【００３３】
振動子２Ｌおよび振動子２Ｒは、キャビネット１０３のうち、人体の鼻骨に当接される位置に設置されている。また、振動子２ＬＳは、鉤部１０５Ｌに設置され、振動子２ＲＳは、鉤部１０５Ｒに設置されている。鉤部１０５Ｌ、鉤部１０５Ｒがそれぞれ外耳裏側に当接することで、振動子２ＬＳ、２ＲＳがそれぞれ外耳裏側に当接する。
【００３４】
振動子２Ｌ、振動子２Ｒ、振動子２ＬＳ、および振動子２ＲＳは、ＤＳＰユニット３００と接続される。なお、図３においても、振動子２ＬＳにＤＳＰユニット３００が接続されている態様を示しているが、実際には、弦やキャビネットに埋設された配線により各振動子とＤＳＰユニット３００が接続されている。また、各振動子とＤＳＰユニット３００の接続は、赤外線等による無線接続であってもよい。
【００３５】
ＤＳＰユニット３００は、制御部３０１、音声用インタフェース３０２、振動子インタフェース３０３、映像用インタフェース３０４、およびＬＣＤ駆動部３０５を備えている。
【００３６】
音声用インタフェース３０２は、他の装置（ＤＶＤプレーヤ等の再生装置）から音声信号を入力する。映像用インタフェース３０４は、再生装置から映像信号を入力する。音声信号、映像信号はそれぞれアナログであってもデジタルであってもよい。アナログ音声信号やアナログ映像信号を入力する場合には、図示しないＡ／Ｄコンバータによりデジタル変換する。なお、この例においても、再生装置（ＤＶＤ等の再生機能）をＤＳＰユニット３００に内蔵しておいてもよい。
【００３７】
制御部３０１は、ＤＳＰチップを内蔵しており、音声用インタフェース３０２から入力された音声信号に基づいて、振動子２Ｌ、振動子２Ｒ、振動子２ＬＳ、および振動子２ＲＳの駆動信号をそれぞれ生成する。これらの駆動信号は、マルチチャンネルサラウンドの各チャンネルの音声信号に対応する。また、制御部３０１は、映像用インタフェース３０４から入力された映像信号に基づいてＬＣＤ駆動部３０５を制御する。ＬＣＤ駆動部３０５は、ＬＣＤドライバ回路であり、キャビネット１０３に内蔵されているＬＣＤに接続され、制御部３０１の制御に従ってＬＣＤを駆動する。すなわち、入力された映像信号に応じた映像を表示するようにＬＣＤを駆動する。
【００３８】
この例においても、骨伝導スピーカ装置１００を装着したユーザは、フロントＬチャンネルの音声を前方左側から感じ取ることができ、フロントＲチャンネルの音声を前方右側から感じ取ることができ、センタチャンネルの音声を前方中央から感じ取ることができる。また、リアＬチャンネルの音声を後方左側から感じ取ることができ、リアＲチャンネルの音声を後方右側から感じ取ることができる。また、骨伝導スピーカ装置１００を装着したユーザは、音声と同じ再生ソースの映像を認識することができる。
【００３９】
この骨伝導スピーカ装置１００によれば、別途スピーカなどを用意しなくとも、ヘッドマウントディスプレイを装着するだけで映像とサラウンド音声を体感することができ、映画の視聴に好適である。
【００４０】
なお、骨伝導スピーカ装置１０または骨伝導スピーカ装置１００に低音用振動子をさらに備え、この低音用振動子を手首、足首等に装着できるように、低音用振動子を内蔵したバンドを構成してもよい。人間は、手首、足首等に装着した振動子から骨伝導や肉伝導により音声を聴きとることはできないが、振動そのものを低音として感じとることができ、さらに臨場感を得ることができる。この場合においても、ＤＳＰユニットが音声信号に基づいて駆動信号を供給する。ＤＳＰユニットは、低音用振動子に、サブウーファチャンネルの音声に対応する駆動信号を供給する。
【００４１】
また、図６に示すように、さらに複数の振動子を備えていてもよい。図６は、ヘッドマウントディスプレイ他の例に係る骨伝導スピーカ装置の外観を示す図である。なお、図３と共通する構成部については同一の符号を付し、その説明を省略する。
【００４２】
図６に示す骨伝導スピーカ装置１５０は、フレーム１５１、振動子２ＦＬ、振動子２ＦＲ、振動子２Ｌ、振動子２Ｒ、振動子２ＬＳ、振動子２ＲＳ、振動子２Ｔ、振動子２Ｂ、およびＤＳＰユニット３００を備えている。
【００４３】
フレーム１５１は、いわゆるヘッドマウントディスプレイであり、キャビネット１０３と、キャビネット１０３に接続されるヘッドバンド１５２、ヘッドバンド１５３、ヘッドバンド１５４、およびあごひも１５５からなる。
【００４４】
ヘッドバンド１５２は、人体頭部の左右こめかみから頭頂部にかけて頭部に当接するものである。ヘッドバンド１５３は、前頭部から後頭部にかけて頭部に当接するものである。また、ヘッドバンド１５４は、キャビネット１０３の左右から人体頭部のこめかみを経て、後頭部にかけて頭部に当接するものである。ヘッドバンド１５２とヘッドバンド１５３は、頭頂部で接合されている。ヘッドバンド１５２とヘッドバンド１５４は、左右こめかみに当接する部分で接合されている。また、ヘッドバンド１５３とヘッドバンド１５４は、後頭部に当接する部分で接合されている。これらのヘッドバンド１５２、ヘッド１５３、ヘッドバンド１５４を頭部に当接させることで、ユーザはヘッドマウントディスプレイを装着することができる。また、あごひも１５５は、ヘッドバンド１５２およびヘッドバンド１５４の左右こめかみに当接する部分で接合されており、このあごひも１５５をユーザが顎に引っ掛けることでさらに装着の安定度を向上することができる。
【００４５】
ここで、振動子２ＦＬ、振動子２ＦＲは、キャビネット１０３のうち、人体の鼻骨に当接される位置に設置されている。振動子２Ｌおよび振動子２Ｒは、ヘッドバンド１５２およびヘッドバンド１５４の左右こめかみに当接する部分に設置されている。振動子２ＬＳは、ヘッドバンド１５４の後頭部に当接する部分のうち左側、振動子２ＲＳはヘッドバンド１５４の後頭部に当接する部分のうち右側に設置されている。また、振動子２Ｔは、ヘッドバンド１５２およびヘッドバンド１５３の頭頂部に当接する部分に設置されており、振動子２Ｂは、あごひも１５５の顎に当接する部分に設置されている。
【００４６】
これらの振動子は全てＤＳＰユニット３００と接続される。なお、図６においても、振動子２ＬにＤＳＰユニット３００が接続されている態様を示しているが、実際には、ヘッドバンドに埋設された配線により各振動子とＤＳＰユニット３００が接続されている。また、各振動子とＤＳＰユニット３００の接続は、赤外線等による無線接続であってもよい。
【００４７】
この骨伝導スピーカ装置１５０の場合、振動子２ＦＬおよび振動子２ＦＲの駆動信号には、センタチャンネルの成分が含まれる。また、振動子２ＬにはフロントＬチャンネル、振動子２ＲにはフロントＲチャンネル、振動子２ＬＳにはリアＬチャンネル、振動子２ＲＳにはリアＲチャンネルの成分に対応する駆動信号がそれぞれ供給される。さらに、振動子２Ｔには高い位置における音声ソースに対応する駆動信号が供給され、振動子２Ｂには低い位置における音声ソースに対応する駆動信号が供給される。これにより、高い位置から低い位置に移動するような音像、低い位置から高い位置に移動するような音像を表現することができる。
【００４８】
この場合、骨伝導スピーカ装置１５０を装着したユーザは、フロントＬチャンネル、フロントＲチャンネル、センタチャンネル、リアＬチャンネル、リアＲチャンネルの音声を各方向から別々に感じ取ることができるとともに、高低感の有るさらにリアルなサラウンド音声を体感することができる。
【００４９】
なお、本実施形態では、フレーム、振動子、およびＤＳＰユニットからなる骨伝導スピーカ装置を示したが、本実施形態に示したフレームはいわゆる眼鏡形状であるため、一般的な眼鏡のパッドや弦に振動子を取り付けることでも本実施形態の骨伝導スピーカ装置が完成する。この場合、各振動子にパッドや弦に取り付け可能な機構（粘着テープ、クリップ等）を備えていればよい。このように、一般的な眼鏡に振動子を取り付けた態様も本発明の骨伝導スピーカ装置の技術的範囲に含まれるものである。
【００５０】
また、本実施形態では、両耳の裏側に当接する鉤部（モダン）に振動子を取り付ける例を示したが、ヘルメット型やゴーグル型のヘッドマウントディスプレイ等の場合、両耳裏側に相当する位置の頭部当接部分、および鼻骨当接部分に振動子を取り付ければよい。この態様も本発明の骨伝導スピーカ装置の技術的範囲に含まれるものである。
【図面の簡単な説明】
【００５１】
【図１】骨伝導スピーカ装置１０の外観を示す図である。
【図２】骨伝導スピーカ装置１０の構成を示すブロック図である。
【図３】他の例の骨伝導スピーカ装置１００の外観を示す図である。
【図４】他の例の骨伝導スピーカ装置１００の構成を示すブロック図である。
【図５】他の例の骨伝導スピーカ装置５０の外観を示す図である。
【図６】他の例の骨伝導スピーカ装置１５０の外観を示す図である。
【符号の説明】
【００５２】
１−フレーム
２Ｌ，２Ｒ，２ＬＳ，２ＲＳ−振動子
３−ＤＳＰユニット
【図１】
2008227806.tif 000003
【図２】
2008227806.tif 000004
【図３】
2008227806.tif 000005
【図４】
2008227806.tif 000006
【図５】
2008227806.tif 000007
【図６】
2008227806.tif 000008